(57)【要約】【課題】シールド性能を維持しつつ、シールド電線の保持力を確実に向上させることができる高周波コネクタを提供する。【解決手段】シールド電線１と、インナー端子２と、アウター端子３と、を備えた高周波コネクタであって、アウター端子３は、インナー端子２を内部に配置する端子本体３１と、端子本体３１に連設され、編組１３を露出した編組露出部１３Ａ及び絶縁体１２を露出した絶縁体露出部１２Ａを加締める１組の編組絶縁体加締め足３２と、１組の編組絶縁体加締め足３２に連設され、外皮１４を加締める外皮加締め足３３と、を備え、編組露出部１３Ａは、１組の編組絶縁体加締め足３２が加締められた後の１組の編組絶縁体加締め足３２の外縁に沿った縁部３４で囲まれる隙間領域に残され、且つ縁部３４により挟み込まれるものである。【選択図】図１
2020042997.tif 000002
【特許請求の範囲】
【請求項１】
芯線と、前記芯線の外周を覆う絶縁体と、前記絶縁体の外周を覆う編組と、前記編組の外周を覆う外皮と、を有するシールド電線と、
前記芯線に接続されるインナー端子と、
前記インナー端子が内部に配置され、前記編組を露出した編組露出部に接続されるアウター端子と、
を備えた高周波コネクタであって、
前記アウター端子は、
前記インナー端子を内部に配置する端子本体と、
前記端子本体に連設され、前記編組露出部及び前記絶縁体を露出した絶縁体露出部を加締める１組の編組絶縁体加締め足と、
前記１組の編組絶縁体加締め足に連設され、前記外皮を加締める外皮加締め足と、
を備え、
前記編組露出部は、
前記１組の編組絶縁体加締め足が加締められた後の前記１組の編組絶縁体加締め足の外縁に沿った縁部で囲まれる隙間領域に残され、且つ前記縁部により挟み込まれるものである、
ことを特徴とする高周波コネクタ。
【請求項２】
前記編組露出部は、
前記縁部に設けられた凹凸部の間に挟み込まれる場合、前記凹凸部の凹部と凸部とがそれぞれ前記隙間領域を介して噛み合うものである、
ことを特徴とする請求項１に記載の高周波コネクタ。
【発明の詳細な説明】
【技術分野】
【０００１】
本開示は、高周波コネクタに関する。
【背景技術】
【０００２】
従来、自動車等に搭載されるカーナビゲーション等の各種電装品の制御部に高周波の電気信号を伝送するため、高周波対応のシールド電線が用いられている。シールド電線は、導電材からなる芯線の外周を被覆した絶縁被膜の外周を編組で覆う構造になっており、編組が外部からの電気的な影響を遮断することにより高周波の伝搬を可能としている。
【０００３】
また、シールド電線の電気的な接続には高周波コネクタを用いる。高周波コネクタは、上記シールド電線と、芯線に接続されたインナー端子と、インナー端子が内部に配置され、且つ編組に圧着されるバレルを有するアウター端子と、を備えている。例えば、特許文献１には、シールド性能を維持しつつ、突起部で加締め時の巻き崩れを防止することにより編組の加締めを確実にしてシールド電線の保持力を向上させるものが提案されている。
【先行技術文献】
【特許文献】
【０００４】
【特許文献１】特開２０１１−２５３７２４号公報
【発明の概要】
【発明が解決しようとする課題】
【０００５】
しかし、シールド電線は、絶縁体、編組及び外皮がそれぞれ個別の素材から構成されており、一体化されているわけではない。よって、特許文献１に記載のような従来技術では、加締め時の巻き崩れを防止したとしても、絶縁体及び編組がそれぞれ動いてしまう。したがって、シールド性能を維持しつつ、シールド電線の保持力を確実に向上させることができない虞がある。
【０００６】
本開示はこのような状況に鑑みてなされたものであり、シールド性能を維持しつつ、シールド電線の保持力を確実に向上させることができるようにするものである。
【課題を解決するための手段】
【０００７】
本開示の一側面である高周波コネクタは、芯線と、前記芯線の外周を覆う絶縁体と、前記絶縁体の外周を覆う編組と、前記編組の外周を覆う外皮と、を有するシールド電線と、前記芯線に接続されるインナー端子と、前記インナー端子が内部に配置され、前記編組を露出した編組露出部に接続されるアウター端子と、を備えた高周波コネクタであって、前記アウター端子は、前記インナー端子を内部に配置する端子本体と、前記端子本体に連設され、前記編組露出部及び前記絶縁体を露出した絶縁体露出部を加締める１組の編組絶縁体加締め足と、前記１組の編組絶縁体加締め足に連設され、前記外皮を加締める外皮加締め足と、を備え、前記編組露出部は、前記１組の編組絶縁体加締め足が加締められた後の前記１組の編組絶縁体加締め足の外縁に沿った縁部で囲まれる隙間領域に残され、且つ前記縁部により挟み込まれるものである。
【０００８】
また、本開示の一側面である高周波コネクタにおいて、編組露出部は、前記縁部に設けられた凹凸部の間に挟み込まれる場合、前記凹凸部の凹部と凸部とがそれぞれ前記隙間領域を介して噛み合うものである、ことが好ましい。
【発明の効果】
【０００９】
本開示の一側面によれば、シールド性能を維持しつつ、シールド電線の保持力を確実に向上させることができる。
【図面の簡単な説明】
【００１０】
【図１】本開示を適用した実施形態１に係る高周波コネクタの分解斜視図である。
【図２】本開示を適用した実施形態１に係る高周波コネクタの外観図である。
【図３】図２のＡ部の拡大図である。
【図４】本開示を適用した実施形態２に係る高周波コネクタの分解斜視図である。
【図５】本開示を適用した実施形態２に係るアウター端子４においてスリーブ４４を折り返す前の斜視図である。
【図６】本開示を適用した実施形態２に係るアウター端子４においてスリーブ４４を折り返した後の斜視図である。
【図７】本開示を適用した実施形態２に係るスリーブ４４を挿入する前のシールド電線１の断面図である。
【図８】本開示を適用した実施形態２に係るスリーブ４４を挿入した後のシールド電線１の断面図である。
【発明を実施するための形態】
【００１１】
以下、図面に基づいて本開示の実施形態を説明するが、本開示は以下の実施形態に限られるものではない。
【００１２】
実施形態１．
図１は、本開示を適用した実施形態１に係る高周波コネクタの分解斜視図である。図２は、本開示を適用した実施形態１に係る高周波コネクタの外観図である。図３は、図２のＡ部の拡大図である。図１に示すように、高周波コネクタは、シールド電線１と、インナー端子２と、アウター端子３と、を備えている。シールド電線１は、芯線１１と、芯線１１の外周を覆う絶縁体１２と、絶縁体１２の外周を覆う編組１３と、編組１３の外周を覆う外皮１４と、を備えている。シールド電線１は、中心から外側に向かって、芯線１１、絶縁体１２、編組１３及び外皮１４の順に配置されている。シールド電線１は、先端側から順に、外皮１４、編組１３及び絶縁体１２を除去して芯線１１を露出させた芯線露出部１１Ａと、外皮１４及び編組１３を除去して絶縁体１２を露出させた絶縁体露出部１２Ａと、外皮１４を除去して編組１３を露出させた編組露出部１３Ａとが形成されている。
【００１３】
芯線１１は、銅等の導電性の金属からなるものである。絶縁体１２は、絶縁性の合成樹脂からなるものである。編組１３は、銅等の金属からなる細線が網状且つ円筒形に編み込まれたものである。編組１３は、高周波コネクタ及び高周波コネクタに接続される電子機器等を介して、アース等に接続されるものである。外皮１４は、絶縁性の合成樹脂からなり、その内側に収容された芯線１１及び編組１３を絶縁し且つ保護するための部材である。インナー端子２は、導電性金属部材にプレス加工等を施すことにより形成されるものであり、一方が芯線１１に接続され、他方が相手コネクタの雌型端子に接続されるものである。アウター端子３は、導電性金属部材にプレス加工等を施すことにより形成されるものであり、インナー端子２が内部に配置され、編組１３を露出した編組露出部１３Ａに接続されるものである。つまり、アウター端子３は、芯線露出部１１Ａにインナー端子２の端部を加締めたインナー端子２と、絶縁体露出部１２Ａと、編組露出部１３Ａとを収容するものである。
【００１４】
なお、図示は省略するが、インナー端子２とアウター端子３との間には、所定の比誘電率を有する誘電体である絶縁性の合成樹脂がインナハウジングとして配置され、インナー端子２は、アウター端子３内でアウター端子３と絶縁した状態で支持される。また、アウター端子３は、図示は省略するが、周囲に絶縁性の合成樹脂を用いて形成されたアウタハウジングが配置される。
【００１５】
アウター端子３は、端子本体３１と、１組の編組絶縁体加締め足３２と、外皮加締め足３３とを備えている。端子本体３１は、インナー端子２を内部に配置するものである。１組の編組絶縁体加締め足３２は、端子本体３１に連設されている。１組の編組絶縁体加締め足３２は、編組露出部１３Ａ及び絶縁体露出部１２Ａを加締めるものである。外皮加締め足３３は、１組の編組絶縁体加締め足３２に連設されている。外皮加締め足３３は、外皮１４を加締めるものである。なお。図１，２の一例では、外皮加締め足３３も、編組絶縁体加締め足３２と同様に、１組で構成されている。
【００１６】
編組露出部１３Ａは、１組の編組絶縁体加締め足３２が加締められた後の１組の編組絶縁体加締め足３２の外縁に沿った縁部３４で囲まれる隙間領域に残され、且つ縁部３４により挟み込まれるものである。具体的には、縁部３４には凸部３４＿１と凹部３４＿２とからなる凹凸部が設けられている。よって、編組露出部１３Ａは、縁部３４に設けられたえ凹凸部の間に挟み込まれる場合、凹凸部の凹部３４＿２と凸部３４＿１とがそれぞれ隙間領域を介して噛み合うものである。
【００１７】
次に、本実施形態における高周波コネクタの組立方法である組立工程を説明する。まず、シールド電線１を加工することにより、芯線露出部１１Ａ、絶縁体露出部１２Ａ及び編組露出部１３Ａを形成する。次に、編組露出部１３Ａのうち、縁部３４で囲まれる隙間領域に対応する箇所のみを残し、他の箇所は除去する。次に、芯線露出部１１Ａにインナー端子２の端部を加締めにより加締めてインナー端子２を芯線１１と接続状態にする。次に、インナー端子２をアウター端子３の内部に配置させる。次に、編組絶縁体加締め足３２及び外皮加締め足３３をそれぞれ加締める。これにより、上記で説明したように、編組露出部１３Ａは、縁部３４の凸部３４＿１及び凹部３４＿２とがそれぞれ隙間領域を介して噛み合う。このようにして、高周波コネクタが得られる。
【００１８】
以上の説明から、本実施形態において、編組露出部１３Ａは、１組の編組絶縁体加締め足３２が加締められた後の１組の編組絶縁体加締め足３２の外縁に沿った縁部３４で囲まれる隙間領域に残され、且つ縁部３４により挟み込まれるものである。よって、編組露出部１３Ａは、隙間領域にのみ残る。したがって、絶縁体１２の周囲は導電性部材で覆われつつ、編組絶縁体加締め足３２で加締められるものは編組露出部１３Ａだけでなく絶縁体露出部１２Ａも含まれるため、シールド性能を維持しつつ、シールド電線１の保持力を確実に向上させることができる。
【００１９】
換言すれば、編組絶縁体加締め足３２において、加締めにより生じる縁部３４で囲まれる隙間領域以外には編組露出部１３Ａによるシールド性能は必要がない。よって、隙間領域にのみ編組露出部１３Ａを残し、それ以外は編組露出部１３Ａを剥ぎ、その下にある絶縁体露出部１２Ａを加締める。また、編組露出部１３Ａは、隙間領域に集中させる。縁部３４には凸部３４＿１と凹部３４＿２とによる凹凸部が設けられているので、編組絶縁体加締め足３２で加締め時、編組露出部１３Ａを隙間領域を介して噛むように編組絶縁体加締め足３２を加締めることで、シールド電線１を固定し、保持することができる。これにより、高周波コネクタは、シールド性能は維持しつつ、シールド電線１の保持力を確実に向上させることができる。
【００２０】
また、本実施形態において、編組露出部１３Ａは、縁部３４に設けられた凹凸部の間に挟み込まれる場合、凹凸部の凹部３４＿２と凸部３４＿１とが隙間領域を介してそれぞれ噛み合うものである。よって、編組絶縁体加締め足３２は、編組露出部１３Ａと接触する表面積が増加した状態で、編組露出部１３Ａを噛むように保持し、且つ編組露出部１３Ａを固定する。したがって、シールド電線１の保持力を特に顕著に向上させることができる。
【００２１】
実施形態２．
実施形態２において、実施形態１と同様の構成及び機能については同一の符号を付記し、その説明については省略する。図４は、本開示を適用した実施形態２に係る高周波コネクタの分解斜視図である。図５は、本開示を適用した実施形態２に係るアウター端子４においてスリーブ４４を折り返す前の斜視図である。図６は、本開示を適用した実施形態２に係るアウター端子４においてスリーブ４４を折り返した後の斜視図である。図７は、本開示を適用した実施形態２に係るスリーブ４４を挿入する前のシールド電線１の断面図である。図８は、本開示を適用した実施形態２に係るスリーブ４４を挿入した後のシールド電線１の断面図である。実施形態２は、スリーブ４４が端子本体４１と結合又は一体化したものである点が実施形態１と異なる。よって、スリーブ４４を含むアウター端子４の構成及び機能について説明する。
【００２２】
アウター端子４は、端子本体４１と、１組の電線加締め足４２と、１組の電線加締め足４３と、スリーブ４４とを備えている。スリーブ４４は、連結部４６を介して底面４５と連結している。１組の電線加締め足４２は、端子本体４１に連設されている。１組の電線加締め足４２は、編組１３と絶縁体１２との間に挿入されたスリーブ４４を介して、編組露出部１３Ａを加締めるものである。１組の電線加締め足４３は、端子本体４１に連設されている。１組の電線加締め足４３は、編組１３と絶縁体１２との間に挿入されたスリーブ４４を介して、編組露出部１３Ａ及び外皮１４を加締めるものである。
【００２３】
次に、本実施形態における高周波コネクタの組立方法である組立工程を説明する。まず、シールド電線１を加工することにより、芯線露出部１１Ａ、絶縁体露出部１２Ａ及び編組露出部１３Ａを形成する。次に、芯線露出部１１Ａにインナー端子２の端部を加締めにより加締めてインナー端子２を芯線１１と接続状態にする。次に、連結部４６を介してスリーブ４４を底面４５側に折り曲げる。なお、編組露出部１３Ａは、連結部４６に対応する箇所は、シールド電線１の軸線に沿って剥いでおく。次に、芯線露出部１１Ａにインナー端子２の端部を加締めにより加締めてインナー端子２を芯線１１と接続状態にする。次に、スリーブ４４が編組１３と絶縁体１２との間に挿入されるようにしつつ、インナー端子２をアウター端子３の内部に配置させる。次に、電線加締め足４２及び電線加締め足４３をそれぞれ加締める。これにより、上記で説明したように、１組の電線加締め足４２は、編組１３と絶縁体１２との間に挿入されたスリーブ４４を介して、編組露出部１３Ａを加締める。１組の電線加締め足４３は、端子本体４１に連設されている。１組の電線加締め足４３は、編組１３と絶縁体１２との間に挿入されたスリーブ４４を介して、編組露出部１３Ａ及び外皮１４を加締める。このようにして、高周波コネクタが得られる。
【００２４】
以上の説明から、本実施形態において、スリーブ４４は、端子本体４１と結合又は一体化している。よって、シールド電線１は、スリーブ４４を介して電線加締め足４２、４３により保持されるため、圧着作業の簡素化を望むことができるだけでなく、保持力も向上する。さらに、底面４５側に折り曲げたスリーブ４４を編組１３と絶縁体１２との間に挿入することにより構成されるものであるため、コストダウンを図ることができる。
【００２５】
以上、本開示を適用した高周波コネクタを実施形態に基づいて説明したが、本開示はこれに限定されるものではなく、本開示の趣旨を逸脱しない範囲で、変更を加えてもよい。
【００２６】
例えば、本実施形態においては、縁部３４に凹部３４＿２と凸部３４＿１とによる凹凸部が設けられた一例について説明したが、特にこれに限定されない。例えば、縁部３４が櫛歯形状であってもよい。
【符号の説明】
【００２７】
１  シールド電線
１１  芯線、１１Ａ  芯線露出部、１２  絶縁体、１２Ａ  絶縁体露出部
１３  編組、１３Ａ  編組露出部、１４  外皮
２  インナー端子
３  アウター端子
３１  端子本体、３２  編組絶縁体加締め足、３３  外皮加締め足
３４  縁部、３４＿１  凸部、３４＿２  凹部
４  アウター端子
４１  端子本体、４２，４３  電線加締め足、４４  スリーブ
４５  底面、４６  連結部
【図１】
2020042997.tif 000003
【図２】
2020042997.tif 000004
【図３】
2020042997.tif 000005
【図４】
2020042997.tif 000006
【図５】
2020042997.tif 000007
【図６】
2020042997.tif 000008
【図７】
2020042997.tif 000009
【図８】
2020042997.tif 000010